【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
２つの状態で使用されるウェアラブルデバイスであって、前記ウェアラブルデバイスは、ウェアラブルバンドが取り付け状態と分離状態との間で構成可能であるようにディスプレイモジュールを解除可能に取り付ける当該ウェアラブルバンドを備え、前記取り付け状態において、前記ウェアラブルバンドは前記ディスプレイモジュールに取り付けられるとともに前記ディスプレイモジュールと通信し、前記分離状態において、前記ウェアラブルバンドは前記ディスプレイモジュールから分離及び離間されていて、前記ウェアラブルバンドは、
プログラムインストラクションを実行し、前記ウェアラブルバンドが前記分離状態又は前記取り付け状態にあるときを判定するウェアラブルバンドプロセッサと、
少なくとも前記分離状態にあるときに前記ウェアラブルバンドに電力供給し、外部電源から充電を受けるウェアラブルバンドバッテリと、
少なくとも前記分離状態にあるときに少なくとも１つのセンサ測定を行う少なくとも１つのウェアラブルバンドセンサと、
少なくとも前記分離状態にあるときにウェアラブルバンドセンサ測定値の少なくとも一部を記憶するウェアラブルバンドメモリと、
少なくとも前記取り付け状態にあるときに、前記ウェアラブルバンドセンサ測定値の少なくとも一部を前記ディスプレイモジュールに送信するウェアラブルバンド通信インターフェースと、を備える、
ウェアラブルデバイス。
【請求項２】
前記ウェアラブルバンドに解除可能に取り付けられる前記ディスプレイモジュールは、
前記プログラムインストラクションを実行し、前記ディスプレイモジュールが前記ウェアラブルバンドに取り付けられているかを判定するディスプレイモジュールプロセッサと、
前記ウェアラブルバンドから前記ウェアラブルバンドセンサ測定値の少なくとも一部を受信するディスプレイモジュール通信インターフェースと、
前記ウェアラブルバンドセンサ測定値を受信し、記憶するディスプレイモジュールメモリと、
前記ディスプレイモジュールに電力供給するディスプレイモジュールバッテリと、を備える、
請求項１に記載のウェアラブルデバイス。
【請求項３】
前記外部電源は、ディスプレイモジュールバッテリであり、前記ウェアラブルバンドバッテリは、前記取り付け状態にあるときに、前記ディスプレイモジュールバッテリから充電を受ける、
請求項１に記載のウェアラブルデバイス。
【請求項４】
前記外部電源は、外部の接続可能なバッテリである、
請求項１に記載のウェアラブルデバイス。
【請求項５】
前記ディスプレイモジュールは、時計面である、
請求項１に記載のウェアラブルデバイス。
【請求項６】
前記ディスプレイモジュールは、前記ウェアラブルバンドの少なくとも１つの設定を設定する、
請求項１に記載のウェアラブルデバイス。
【請求項７】
ディスプレイモジュールは、１つ又は複数のディスプレイモジュールセンサ測定を行うための１つ又は複数のディスプレイモジュールセンサを更に備える、
請求項２に記載のウェアラブルデバイス。
【請求項８】
前記ウェアラブルバンドプロセッサは、ウェアラブルバンドインストラクションを実行して所定の時間にアラーム出力を生成し、前記アラーム出力は、前記ウェアラブルバンドのバイブレータの振動又は前記ウェアラブルバンドのスピーカからの音響出力のうちの１つである、
請求項１に記載のウェアラブルデバイス。
【請求項９】
前記ウェアラブルバンドプロセッサは、前記ウェアラブルバンドインストラクションを実行して、
少なくとも前記所定のアラーム時刻を含む受信した睡眠設定入力を処理し、
前記ディスプレイモジュールが前記ウェアラブルバンドに接続されたことを判定した後、前記睡眠設定入力を前記ウェアラブルバンドに送信する、
請求項８に記載のウェアラブルデバイス。
【請求項１０】
ウェアラブルバンドセンサ測定は、睡眠品質、睡眠持続時間、睡眠運動、睡眠パターン、睡眠中断、睡眠脈拍、睡眠血圧、睡眠呼吸、ユーザの入眠に関連する時間値、又はユーザの起床に関連する時間値のうちの少なくとも１つに関連する睡眠測定を含む、
請求項１に記載のウェアラブルデバイス。
【請求項１１】
２つのステージで使用されるウェアラブルデバイスを利用するための方法であって、前記方法は、
ウェアラブルバンドが取り付け状態と分離状態との間で構成可能であるようにディスプレイモジュールを解除可能に取り付ける前記ウェアラブルバンドを提供するステップであって、前記取り付け状態において、前記ウェアラブルバンドは前記ディスプレイモジュールに取り付けられるとともに前記ディスプレイモジュールと通信し、前記分離状態において、前記ウェアラブルバンドは前記ディスプレイモジュールから分離及び離間されており、前記ウェアラブルバンドは、ウェアラブルバンドプロセッサと、前記ウェアラブルバンドに電力供給するウェアラブルバンドバッテリと、ウェアラブルバンドメモリと、少なくとも１つのウェアラブルバンドセンサとを備える、前記ウェアラブルバンドを提供するステップと、
前記ウェアラブルバンドに含まれる前記少なくとも１つのウェアラブルバンドセンサによって少なくとも１つのウェアラブルバンドセンサ測定を行うステップと、
ウェアラブルバンドセンサ測定値の少なくとも一部を前記ウェアラブルバンドメモリに記憶するステップと、
前記ウェアラブルバンドが前記ディスプレイモジュールに再接続されたかを判定するステップと、
前記ウェアラブルバンドセンサ測定値を前記ウェアラブルバンドメモリから前記ディスプレイモジュールに送信するステップと、を備える、
方法。
【請求項１２】
前記ウェアラブルデバイスの前記ディスプレイモジュールのバッテリを、前記ディスプレイモジュールが前記ウェアラブルデバイスの前記ウェアラブルバンドから分離されたときに、電源によって充電するステップを更に備える、
請求項１１に記載の方法。
【請求項１３】
前記ディスプレイモジュールを使用して、前記ウェアラブルバンドの少なくとも１つの設定を設定するステップを更に備える、
請求項１１に記載の方法。
【請求項１４】
少なくとも１つのディスプレイモジュールセンサによって、少なくとも１つのディスプレイモジュールセンサ測定を行うステップを更に備える、
請求項１１に記載の方法。
【請求項１５】
２つの状態で使用されるウェアラブルデバイスであって、前記ウェアラブルデバイスは、
ウェアラブルバンドが取り付け状態と分離状態との間で構成可能であるようにディスプレイモジュールを解除可能に取り付ける当該ウェアラブルバンドを備え、前記取り付け状態において、前記ウェアラブルバンドは前記ディスプレイモジュールに取り付けられるとともに前記ディスプレイモジュールと通信し、前記分離状態において、前記ウェアラブルバンドは前記ディスプレイモジュールから分離及び離間されていて、前記ウェアラブルバンドは、
プログラムインストラクションを実行し、前記ウェアラブルバンドが前記分離状態又は前記取り付け状態にあるときを判定するウェアラブルバンドプロセッサと、
少なくとも前記分離状態にあるときに前記ウェアラブルバンドに電力供給し、外部電源から充電を受けるウェアラブルバンドバッテリと、
少なくとも前記分離状態にあるときに少なくとも１つのセンサ測定を行う少なくとも１つのウェアラブルバンドセンサと、
少なくとも前記分離状態にあるときにウェアラブルバンドセンサ測定値の少なくとも一部を記憶するウェアラブルバンドメモリと、
少なくとも前記取り付け状態にあるときに、前記ウェアラブルバンドセンサ測定値の少なくとも一部を前記ディスプレイモジュールに送信するウェアラブルバンド通信インターフェースと、を備え、前記ウェアラブルバンドに解除可能に取り付けられる前記ディスプレイモジュールは、
前記プログラムインストラクションを実行し、前記ディスプレイモジュールが前記ウェアラブルバンドに取り付けられているかを判定するディスプレイモジュールプロセッサと、
前記ウェアラブルバンドから前記ウェアラブルバンドセンサ測定値の少なくとも一部を受信するディスプレイモジュール通信インターフェースと、
前記ウェアラブルバンドセンサ測定値を受信し、記憶するディスプレイモジュールメモリと、を備える、
ウェアラブルデバイス。